(57)【特許請求の範囲】
【請求項１】
電気電子機器が取り付けられる基台と、この基台を被覆する箱形のカバー部材とから構成される電気電子機器収納用キャビネットにおいて、
前記カバー部材の縁面の内面と直交するように、前記内面から突出した基部と、この基部に対して、直交するように前記基部に形成された係合片とから構成されるカバー部材側係合突起を、前記カバー部材の縁面の内面に形成するとともに、前記カバー部材側係合突起が突設されている部分の両側にスリットを形成して前記カバー部材側係合突起が突設されている部分を弾性部とし、前記カバー部材側係合突起に対応する位置のカバー部材の縁面を押圧してカバー部材側係合突起の基部に直接押圧力を作用させることを可能とし、
前記基台からカバー部材側に突出する基部と、前記基部の基台からの突出方向と直交するように基部から突出した、前記係合片と係合する係合部とから構成される基台側係合突起を、前記カバー部材側係合突起に対応する位置の基台に形成したことを特徴とする電気電子機器収納用キャビネットの基台とカバー部材との取付構造。
【請求項２】
基台側係合突起の基部は、基台から、対向するように２つ突出し、基台側係合突起の係合部は、前記２つの基部の対向する面からそれぞれ突出して対向し、カバー部材側係合突起の基部の幅寸法は、前記対向する係合部間の寸法よりも小さい寸法に構成したことを特徴とする請求項１に記載の電気電子機器収納用キャビネットの基台とカバー部材との取付構造。
【請求項３】
基台側係合突起の基部の突出方向に向かって、係合部の断面が徐々に小さくなるように構成した傾斜面を、係合部に形成し、カバー部材の縁面の縁端方向に向かって、係合片の断面積が徐々に小さくなるように構成した、前記係合部に形成された傾斜面と対向して摺動する傾斜面を、係合片に形成したことを特徴とする請求項１又は請求項２のいずれかに記載の電気電子機器収納用キャビネットの基台とカバー部材との取付構造。
【請求項４】
カバー部材側係合突起が形成されているカバー部材の縁面と対向する縁面の縁端に係合突起を形成し、前記係合突起に対応する位置の基台に、前記係合突起と係合する係合凹部を形成したことを特徴とする請求項１〜請求項３のいずれかに記載の電気電子機器収納用キャビネットの基台とカバー部材との取付構造。
【発明の詳細な説明】
【技術分野】
【０００１】
本発明は、内部に電気機器や電子機器を収納する電気電子機器収納用キャビネットの基台とカバー部材との取付構造の改良に関するものである。
【背景技術】
【０００２】
近年、各家庭にＡＤＳＬやＦＴＴＨ等のブロードバンドインターネット環境が普及している。また、一般家庭において、複数のパーソナルコンピュータをインターネットに接続することも増加している。このように、複数のパーソナルコンピュータをインターネットに接続する場合には、ブロードバンドルータやＨＵＢ等の複数の電気電子機器が必要となり、また、前記電気電子機器の配線が複雑になってしまうことから、そのまま、リビングルーム等に設置すると、見栄えが悪くなってしまう。
【０００３】
そこで、特許文献１に示されるように、内部にブロードバンドルータやＨＵＢ等の電気電子機器をまとめて収納する電気電子機器収納用キャビネットが提案されている。このような電気電子機器収納用キャビネットは、電気電子機器が取り付けられる基台と、この基台を被覆するカバー部材とから構成されている。前記基台と前記カバー部材との取付構造は、特許文献２に示されるように（特に図３や図５、図６）、筐体の一方に他方側に突出する係合爪を設け、筐体の他方側に前記係合爪が係合する係合凹部を設けた、筐体の取付構造が知られている。このような筐体の取付構造では、前記係合爪と係合凹部との係合を解除する際に、一方の筐体の前記係合爪が突出している基部を押圧して、前記係合爪と係合凹部との係合を解除していた。しかしながら、押圧する位置と、前記係合爪と係合凹部とが係合している位置との距離が離れていることから、前記係合爪と係合凹部との係合を解除するには、大きな押圧力を必要とし、前記係合爪と係合凹部との係合を解除しにくいという問題があった。
【０００４】
一方で特許文献３に示されるような、住宅用分電盤のパネル取り外し構造が知られている。この住宅用分電盤のパネル取り外し構造は、別に係合部材を設け、係合部材を押圧すると、係合部材とパネルとの係合が外れる構造になっている。しかしながら、係合部材が別途必要なことから、コスト高になってしまうという問題があった。
【０００５】
【特許文献１】特開２００４−３１１５００号公報
【特許文献２】特開平１１―２８８３２６号公報
【特許文献３】特開平１０−２４８１２１号公報
【発明の開示】
【発明が解決しようとする課題】
【０００６】
電気電子機器のカバー部材の脱着に手間がかからず、コスト高にならない電気電子機器収納用キャビネットの基台とカバー部材との取付構造を提供する。
【課題を解決するための手段】
【０００７】
上記課題を解決するためになされた請求項１に記載の発明は、電気電子機器が取り付けられる基台と、この基台を被覆する箱形のカバー部材とから構成される電気電子機器収納用キャビネットにおいて、
前記カバー部材の縁面の内面と直交するように、前記内面から突出した基部と、この基部に対して、直交するように前記基部に形成された係合片とから構成されるカバー部材側係合突起を、前記カバー部材の縁面の内面に形成するとともに、前記カバー部材側係合突起が突設されている部分の両側にスリットを形成して前記カバー部材側係合突起が突設されている部分を弾性部とし、前記カバー部材側係合突起に対応する位置のカバー部材の縁面を押圧してカバー部材側係合突起の基部に直接押圧力を作用させることを可能とし、
前記基台からカバー部材側に突出する基部と、前記基部の基台からの突出方向と直交するように基部から突出した、前記係合片と係合する係合部とから構成される基台側係合突起を、前記カバー部材側係合突起に対応する位置の基台に形成したことを特徴とする。
【０００８】
請求項２に記載の発明の基台側係合突起の基部は、基台から、対向するように２つ突出し、基台側係合突起の係合部は、前記２つの基部の対向する面からそれぞれ突出して対向し、カバー部材側係合突起の基部の幅寸法は、前記対向する係合部間の寸法よりも小さい寸法に構成したことを特徴とする。
【０００９】
請求項３に記載の発明は、基台側係合突起の基部の突出方向に向かって、係合部の断面が徐々に小さくなるように構成した傾斜面を、係合部に形成し、カバー部材の縁面の縁端方向に向かって、係合片の断面積が徐々に小さくなるように構成した、前記係合部に形成された傾斜面と対向して摺動する傾斜面を、係合片に形成したことを特徴とする。
【００１１】
請求項４に記載の発明は、カバー部材側係合突起が形成されているカバー部材の縁面と対向する縁面の縁端に係合突起を形成し、前記係合突起に対応する位置の基台に、前記係合突起と係合する係合凹部を形成したことを特徴とする。
【発明の効果】
【００１２】
請求項１に記載の発明は、電気電子機器が取り付けられる基台と、この基台を被覆する箱形のカバー部材とから構成される電気電子機器収納用キャビネットにおいて、前記カバー部材の縁面の内面と直交するように、前記内面から突出した基部と、この基部に対して、直交するように前記基部に形成された係合片とから構成されるカバー部材側係合突起を、前記カバー部材の縁面の内面に形成するとともに、前記カバー部材側係合突起が突設されている部分の両側にスリットを形成して前記カバー部材側係合突起が突設されている部分を弾性部とし、前記カバー部材側係合突起に対応する位置のカバー部材の縁面を押圧してカバー部材側係合突起の基部に直接押圧力を作用させることを可能とし、前記基台からカバー部材側に突出する基部と、前記基部の基台からの突出方向と直交するように基部から突出した、前記係合片と係合する係合部とから構成される基台側係合突起を、前記カバー部材側係合突起に対応する位置の基台に形成したので、カバー部材側係合突起が形成されている部分（弾性部）のカバー部材の縁面を押圧するだけで、カバー部材側係合突起の係合片と基台側係合突起の係合部との係合を外すことが可能となり、簡単に、カバー部材を基台から取り外すことが可能となった。また、カバー部材側係合突起が形成されている部分（弾性部）のカバー部材の縁面を押圧して、前記係合片と係合部との係合を外すこととしたので、押圧する力点と、前記係合片と係合部とが係合している作用点とが、殆ど同じ位置に構成されているので、従来に比べて大きな力を必要とせずに、前記係合片と係合部との係合を外すことが可能となり、少ない力でカバー部材を基台から取り外すことが可能となった。また、前記カバー部材側係合突起は、カバー部材と一体に形成され、前記基台側係合突起は、基台に一体に形成されているので、コスト高にならずに、電気電子機器収納用キャビネットの基台とカバー部材との取付構造を提供することが可能となった。
【００１３】
請求項２に記載の発明の基台側係合突起の基部は、基台から、対向するように２つ突出し、基台側係合突起の係合部は、前記２つの基部の対向する面からそれぞれ突出して対向し、カバー部材側係合突起の基部の幅寸法は、前記対向する係合部間の寸法よりも小さい寸法に構成したので、前記２つの係合部で前記係合片と係合させることにより、前記基台側係合突起とカバー部材側係合突起との係合を安定化することが可能となり、不用意にカバー部材が、基台から外れることを防止することが可能となった。
【００１４】
請求項３に記載の発明は、基台側係合突起の基部の突出方向に向かって、係合部の断面が徐々に小さくなるように構成した傾斜面を、係合部に形成し、カバー部材の縁面の縁端方向に向かって、係合片の断面積が徐々に小さくなるように構成した、前記係合部に形成された傾斜面と対向して摺動する傾斜面を、係合片に形成したので、カバー部材と基台に被せるだけで、係合部に形成された傾斜面と、係合片に形成された傾斜面とが摺動することにより、係合片が係合部を乗り越え、係合片と係合部とを係合させることが可能となり、簡単にカバー部材を基台に取り付けることが可能となった。
【００１６】
請求項４に記載の発明は、カバー部材側係合突起が形成されているカバー部材の縁面と対向する縁面の縁端に係合突起を形成し、前記係合突起に対応する位置の基台に、前記係合突起と係合する係合凹部を形成したので、前記係合突起を前記係合凹部に係合させた状態で、この係合部分を支軸として、カバー部材で基台を被覆する方向に、カバー部材を回動させるだけで、カバー部材を基台に取り付けることが可能となり、簡単にカバー部材を基台に取り付けることが可能となった。
【発明を実施するための最良の形態】
【００１７】
（電気電子機器収納用キャビネットの構成）
以下に、図面を参照しつつ本発明の好ましい実施の形態を示す。
図１は本発明の電気電子機器収納用キャビネット２０を上側から見た斜視図である。本発明の電気電子機器収納用キャビネット２０は、主に、電気電子機器が取り付けられる基台１と、この基台１を被覆するカバー部材２とから構成されている。
【００１８】
図２に基台１の斜視図を示し、図３に基台１の平面図を示し、図４に基台１の裏面斜視図を示す。図２〜図４に示されるように、基台１は格子状の機器取付部１ａと、機器取付部１ａの周囲に形成された枠部１ｂとから構成されている。枠部１ｂは、本実施形態では、略四角形状をしている。なお、本実施形態では、機器取付部１ａと枠部１ｂとは、樹脂で一体に成型されている。
【００１９】
格子状の機器取付部１ａの連通する孔は、ベルト挿通孔１ｃとなっている。ベルト挿通孔１ｃの使用方法については、後で詳細に説明をする。本発明では、ベルト挿通孔１ｃは、少なくとも、横方向に３列以上、縦方向に３列以上形成されている。機器取付部１ａの格子の交点には、機器取付穴１ｄが形成されている。また、機器取付部１ａの格子上にも（言い換えると機器取付穴１ｄの間にも）機器取付穴１ｅが形成されている。
【００２０】
なお、本実施形態では、機器取付部１ａの格子には、成型時の変形を抑制するために、肉ぬすみ１ｆが凹陥形成されている。
【００２１】
枠部１ｂの四隅には、枠部１ｂの表裏を連通するキャビネット取付穴１ｈが形成されている。また、枠部１ｂには、枠部１ｂの表裏を連通する長穴形状をしたキャビネット取付長穴１ｋが形成されている。本発明の電気電子機器収納用キャビネット２０を取り付ける壁等の取付場所上に、キャビネット取付面１ｇを当接させて、キャビネット取付穴１ｈやキャビネット取付長穴１ｋに、取付ネジを挿通し、この取付ネジを前記取付場所に螺入して、基台１を前記取付場所に取り付けるようにしている。なお、キャビネット取付長穴１ｋに、前記取付ネジを挿通して、基台１を取付場所に取り付け場合には、基台１の取付位置を微調整することが可能となる。
【００２２】
図５にカバー部材２の裏側の斜視図を示して、図６に電気電子機器収納用キャビネット２０の下側から見た斜視図を示して、以下カバー部材２について説明をする。カバー部材２は、一方の面が開放した箱形形状をしている。本実施形態では、カバー部材２は、樹脂で成型されている。図１や図５に示されるように、カバー部材２の上部や下部には、通気孔２ａ、２ｂが形成されている。
【００２３】
図７に電気電子機器を取り付けた状態の説明図を示して、以下、本発明の電気電子機器収納用キャビネット２０の使用方法について説明をする。電気電子機器４１を基台１に取り付けるには、図７に示されるように、電気電子機器４１を機器取付部１ａ上に配置し、
取付ベルト３１を、機器取付部１ａの近傍のベルト挿通孔１ｃに挿通し、機器取付部１ａの裏面に這わせる。図４に取付ベルト３１を機器取付部１ａの裏面に這わした状態が示されている。機器取付部１ａの裏面を這わせた取付ベルト３１を、ベルト挿通孔１ｃから取り出し、電気電子機器４１を取付ベルト３１で抱持し、取付ベルト３１を締め上げた状態で緊縛する。なお、取付ベルト３１は、面ファスナであることが好ましく、取付ベルト３１が面ファスナである場合には、面ファスナの対向する面を接触させるだけで、取付ベルト３１を緊縛することができるので、電気電子機器４１の基台１への取付作業を迅速に行うことが可能となる。
【００２４】
図７に示される３２はストッパである。ストッパ３２は、受部３２ａと引掛部３２ｂとから構成されている。本実施形態では、ストッパ３２は、樹脂製であり、受部３２ａと引掛部３２ｂとは、一体となって成形されている。引掛部３２ｂは、断面形状が略コの字形状をしていて、受部３２ａは、引掛部３２ｂの面から垂直に延出している。機器取付部１ａの格子の上側から、引掛部３２ｂを機器取付部１ａの格子に引っ掛けて、ストッパ３２を機器取付部１ａに取り付けている。ストッパ３２が取り付けられた状態で、受部３２ａは、機器取付部１ａに対して、垂直に延出するようになっている。
【００２５】
ストッパ３２を機器取付部１ａに取り付け、ストッパ３２の受部３２ａ上に、電気電子機器４１を載せて、電気電子機器４１を取付ベルト３１で機器取付部１ａに取り付けると、電気電子機器４１が、機器取付部１ａから落下することを防止することが可能となる。
【００２６】
なお、電気電子機器の機器取付部１ａへの取付方法は、取付ベルト３１によるものに限定されず、図７に示されるように、電気電子機器４２（図７では、プラグ差し込み口）に取付穴が形成されている場合には、前記取付穴に取付ネジを挿入し、機器取付部１ａの機器取付穴１ｄ、１ｅに前記ネジを螺入して、電気電子機器４２を機器取付部１ａに取り付けることにしても差し支えない。
【００２７】
（基台とカバー部材との取付構造）
カバー部材２の縁面の縁端部の両側には、係合突起２ｄが突設されている。本発明において、カバー部材２の縁面とは、箱形のカバー部材２の、上面２ｎ、側面２ｐ、下面２ｑを含む。本実施形態では、図５に示されるように、カバー部材２の上面２ｎの縁端部２ｒの両側に、係合突起２ｄが突設されている。係合突起２ｄは、カバー部材２の上面２ｎと直交するようにリブ状の突起が内側に突出して形成されている。
【００２８】
一方で、カバー部材２を基台１に取り付けた際に、係合突起２ｄに対応する位置の基台１には、係合凹部１ｍが凹陥形成されている。本実施形態では、図２や図３に示されるように、基台１の上辺部分の両端に、係合凹部１ｍが形成されている。係合凹部１ｍは、図２や図４に示されるように、枠部１ｂの上縁部が凹陥した形状をしていて、また、カバー部材２側に延出したリブ１ｘを有している。このリブ１ｘは、板状をしていて、枠部１ｂの表面と平行な面で構成されている。言い換えると、カバー部材２を基台１に取り付けた際に、リブ１ｘは、カバー部材２の縁面と直交するようになっている。このような構成により、係合凹部１ｍのリブ１ｘに、係合突起２ｄを引っ掛けるようにして、係合突起２ｄと係合凹部１ｍとが係合するようになっている。
【００２９】
係合突起２ｄが突設されているカバー部材２の縁面と対向するカバー部材２の縁面の内面の両端部には、カバー部材側係合突起２ｆが突設されている。本実施形態では、カバー部材側係合突起２ｆは、図５に示されるように、カバー部材２の下面２ｑの内面の両端に突設されている。カバー部材２の下面２ｑのカバー部材側係合突起２ｆが突設されている部分の両側には、カバー部材２の下面２ｑの縁端部２ｓに達するスリット２ｇが形成されている。スリット２ｇは、カバー部材２の外側と内側を連通している。カバー部材２の下面２ｑのスリット２ｇの内側の部分は、弾性部２ｍとなっている。弾性部２ｍは、カバー部材２の下面２ｑの他の部分に対して、基端から撓むようになっているが、弾性により元の状態に復帰するようになっている。このように構成することにより、カバー部材側係合突起２ｆに対応する位置のカバー部材２の縁部が押圧可能となっている。言い換えると、カバー部材側係合突起２ｆは、弾性部２ｍに突設され、当該部分は押圧部２ｔとなっている。この押圧部２ｔを押圧することにより、カバー部材側係合突起２ｆの基部２ｈに、直接、押圧力を作用させることが可能となった。
【００３０】
カバー部材２を基台１に取り付けた際に、基台１のカバー部材側係合突起２ｆに対応する位置に、つまり、本実施形態では、基台１の下辺部分の両端部に、基台側係合突起１ｎが形成されている。この基台側係合突起１ｎが形成されている位置は、基台１にカバー部材２を取り付けた際に、基台１のカバー部材側係合突起２ｆが形成されている位置に対応する位置となっている。
【００３１】
図８に基台側係合突起１ｎの詳細斜視図を示し、図９に基台側係合突起正面図を示し、以下、基台側係合突起１ｎの説明をする。図８や図９に示されるように、基台側係合突起１ｎは、基台１の枠部１ｂから突出した、一対の基部１ｔと、この基部１ｔから突出した係合部１ｕとから構成されていて、カバー部材２側に突出している。基部１ｔは、ある間隔をおいて２つ、枠部１ｂから突出している。基部１ｔの突出方向１ｖは、カバー部材２側、つまり、カバー部材２を基台１に取り付けた際のカバー部材２の縁面と同じ方向に突出している。図８に示されるように、基部１ｔの断面形状は、略Ｌ字形状をしていて、基部１ｔが撓まないようになっている。係合部１ｕは、一対の基部１ｔの先端の内側に、言い換えると、一対の基部１ｔの対向する面の先端に、それぞれ、向かい合うように突設されている。係合部１ｕには、傾斜面１ｗが形成されている。係合部１ｕに形成された傾斜面１ｗによって、係合部１ｕの断面は、基部１ｔの突出方向１ｖ（言い換えると基部１ｔの先端側）に向かって徐々に小さくなっている。本実施形態では、傾斜面１ｗは、係合部１ｕの上側が切り欠かれた形状となっている。
【００３２】
図１０にカバー部材側係合突起２ｆの詳細図を示し、以下、カバー部材側係合突起２ｆの説明をする。図１０に示されるように、カバー部材側係合突起２ｆは、カバー部材２の下面２ｑの内面から突出した基部２ｈと、基部２ｈの先端に形成された係合片２ｊとから構成されている。本実施形態では、図１０に示されるように、板状の基部２ｈが、２つ、カバー部材２の下面２ｑの内面から、突出しているが、１つの基部２ｈが、カバー部材２の下面２ｑの内面から突出している構成であっても差し支えない。基部２ｈは、カバー部材２の下面２ｑの内面と直交するように、カバー部材２の下面２ｑの内面から突出している。基部２ｈの幅寸法は、対向する係合部１ｕの間の寸法より小さくなっている。
【００３３】
基部２ｈの突出方向に対して直交するように、基部２ｈの先端に板状の係合片２ｊが形成されている。つまり、係合片２ｊは、カバー部材２の下面２ｑの内面から離間していて、カバー部材２の下面２ｑの内面と平行になるように形成されている。係合片２ｊの、基部２ｈ側の面には、傾斜面２ｋが形成されている。係合片２ｊに形成された傾斜面２ｋによって、係合片２ｊの断面は、カバー部材２の下面の縁端部方向に向かって徐々に小さくなっている。なお、カバー部材２を基台１に取り付ける際には、傾斜面１ｗと傾斜面２ｋとは対向し、互いに摺動するようになっている。
【００３４】
（カバー部材を基台に取り付ける方法の説明）
図１１に基台とカバー部材との取付構造の詳細斜視図を示し、図１２に基台とカバー部材との取付構造の詳細断面図を示す。また、図１３に基台とカバー部材の取付構造の説明図を示す。カバー部材２を基台１に取り付けるには、カバー部材２の係合突起２ｄを、基台１の係合凹部１ｍに係合させた状態で、この係合部分を支軸として、カバー部材２で基台１を被覆する方向に、カバー部材２を回動させると、図１３の（１）に示されるように、係合部１ｕの傾斜面１ｗと係合片２ｊの傾斜面２ｋとが対向するようになる。更に、カバー部材２を回動させると、係合部１ｕの傾斜面１ｗと係合片２ｊの傾斜面２ｋとが当接する。カバー部材側係合突起２ｆは、弾性部２ｍに突設されているので、弾性部２ｍが撓むことにより、カバー部材側係合突起２ｆが、図１３において持ち上がる方向に移動可能となっている。係合部１ｕの傾斜面１ｗと係合片２ｊの傾斜面２ｋとが当接した状態で、更に、カバー部材２を回動させると、傾斜面１ｗと傾斜面２ｋとが摺動しながら、係合片２ｊが係合部１ｕによって押し上げられて、係合部１ｕが係合片２ｊを乗り越えると、図１３の（２）に示されるように、弾性部２ｍの弾性により、係合片２ｊが元の状態に復帰し、係合片２ｊと係合部１ｕとが係合し、カバー部材２の基台１への取付作業が完了する。前述したように、基部２ｈの幅寸法は、対向する係合部１ｕの間の寸法より小さくなっているので、基部２ｈは、対向する係合部１ｕの間に侵入することができるようになっている。
【００３５】
（カバー部材を基台から取り外す方法の説明）
カバー部材２を、基台１から取り外す場合には、弾性部２ｍを押圧して内側に押し込むと、カバー部材側係合突起２ｆの係合片２ｊが移動し、係合片２ｊと係合部１ｕとの係合が外れる。この状態で（弾性部２を押し込んだ状態で）、カバー部材２の係合突起２ｄと基台１の係合凹部１ｍとの係合部分を支軸にして、カバー部材２を基台１から開く方向に回動させると、カバー部材２が基台１から取り外される。
【００３６】
図１４に、カバー部材２を基台１から取り外す際の説明図を示す。図１４に示されるように、従来では（特に特許文献２に示される筐体の取付構造）、カバー部材２を基台１から取り外す際に、押圧する力点５０と支点５２との距離が、カバー部材２と基台１とが係合している作用点５１と支点５２との距離より小さく、力点５０と作用点５１との距離が、離れていることから、力点５０に大きな力を作用させなければ、作用点５１の係合を外すことができない。しかし、本発明では、カバー部材側係合突起２ｆに対応する位置のカバー部材２の縁面に押圧部２ｔを形成したため、図１４に示されるように、弾性部２ｍの押圧する場所である力点５６と、係合片２ｊと係合部１ｕとが係合している作用点５６が、殆ど同じ位置に構成されているので、従来に比べて大きな力を必要とせずに、係合部５５の係合を外すことが可能となる。なお、支点５７は、本発明では、弾性部２ｍの基端であり、弾性部２ｍを押圧すると、この支点５７である弾性部２ｍの基端を基点として、弾性部２ｍが内側に撓むようになっている。
【００３７】
（ロック金具の説明）
カバー部材２の下側の面には、ロック金具用穴２ｃが形成されている。図１５にロック金具の詳細図を示す。図１５に示されるように、ロック金具用穴２ｃには、ロック金具３が取り付けられている。ロック金具３は、主に、ロック金具本体（図示せず）、操作部３ａ、ナット部３ｂ、トーションスプリング３ｃ、ラッチ部３ｄとから構成されている。操作部３ａは、ロック金具本体に組み込まれてロック金具用穴２ｃに挿通され、図６に示されるように、操作部３ａの頭部は、カバー部材２の外側に露出している。図１５に示されるように、ロック金具本体をナット部３ｂで固定して、操作部３ａをロック金具用穴２ｃに取り付けている。操作部３ａには、トーションスプリング３ｃが取り付けられている。操作部３ａの先端には、鉤状のラッチ部３ｄが取り付けられている。つまり、トーションスプリング３ｃは、ナット部３ｂとラッチ部３ｄに挟み込まれて、操作部３ａに取り付けられている。トーションスプリング３ｃにより、ラッチ部３ｄ及び操作部３ａは、ラッチ部３ｄの鉤状部３ｅの先端側方向に回動するように付勢されている。
【００３８】
図２や図３に示されるように、基台１の下辺には、ロック穴１ｐが形成されている。基台１のロック穴１ｐが形成されている位置は、カバー部材２を基台１に取り付けた際に、カバー部材２のロック金具３が取り付けられている位置に対応する位置となっている。カバー部材２を基台１に取り付けると、ラッチ部３ｄの鉤状部３ｅ先端が、基台１のロック穴１ｐ内に侵入し、前述したように、ラッチ部３ｄは付勢されているので、ラッチ部３ｄの鉤状部３ｅの基部３ｆが、ロック穴１ｐの縁部を常時押圧して、ラッチ部３ｄとロック穴１ｐが係合する。このように、カバー部材２にロック部材３を取り付け、このロック部材３に対応する位置の基台１に、ロック穴１ｐを形成して、カバー部材２が、不用意に、基台１から外れることを防止している。
【００３９】
なお、カバー部材２を基台１から取り外す場合には、鍵やコイン等でロック部材３の操作部３ａを、トーションスプリング３ｃにより付勢されている方向と反対側に回動させることにより、ラッチ部３ｄとロック穴１ｐとの係合を解除する。
【００４０】
なお、ロック金具３に施錠機能をもたせて、ロック金具３で、カバー部材２を施錠する構成にしても差し支えない。
【００４１】
なお、本実施形態では、カバー部材２に係合突起２ｄを形成し、この係合突起２ｄに対応する位置の基台１に係合凹部１ｍを形成することとしたが、前記係合突起２ｄの代わりに、カバー部材側係合突起２ｆを形成するとともに、前記係合凹部１ｍの代わりに、基台側係合突起１ｎを形成することとしても差し支えない。また、本実施形態では、カバー部材側係合突起２ｆをカバー部材２の下面２ｑの内側に形成することとしたが、本発明は、この実施形態に限定されず、カバー部材側係合突起２ｆをカバー部材２の側面２ｐや上面２ｎ等の縁面に形成し、カバー部材側係合突起２ｆに対応する位置の基台１に、基台側係合突起１ｎを形成することとしても差し支えない。
【００４２】
なお、以上説明した実施形態では、樹脂で成型された基台１及びカバー部材２について本発明を説明したが、基台１やカバー部材２は、樹脂で成型されたものに限定されず、金属等の材料で構成された基台１やカバー部材２にも本発明を適用可能なことは言うまでもない。
【００４３】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う電気電子機器収納用キャビネットの基台とカバー部材との取付構造もまた技術的範囲に包含されるものとして理解されなければならない。  
【図面の簡単な説明】
【００４４】
【図１】電気電子機器収納用キャビネットの斜視図である。
【図２】基台の斜視図である。
【図３】基台の平面図である。
【図４】基台の裏面斜視図である。
【図５】カバー部材の裏面斜視図である。
【図６】電気電子機器収納用キャビネットを下側から見た斜視図である。
【図７】電気電子機器を取り付けた状態の説明図である。
【図８】基台側突起の詳細斜視図である。
【図９】基台側突起の詳細上面図である。
【図１０】カバー部材側突起の説明図である。
【図１１】基台とカバー部材との取付構造の詳細斜視図である。
【図１２】基台とカバー部材との取付構造の詳細断面図である。
【図１３】基台とカバー部材との取付構造の説明図である。
【図１４】カバー部材を基台から取り外す際の説明図である。
【図１５】ロック金具の詳細図である。
【符号の説明】
【００４５】
１      基台
１ａ    機器取付部
１ｂ    枠部
１ｃ    ベルト挿通孔
１ｄ    機器取付穴
１ｅ    機器取付穴
１ｆ    肉ぬすみ
１ｇ    取付面
１ｈ    キャビネット取付穴
１ｋ    キャビネット取付長穴
１ｍ    係合凹部
１ｎ    基台側係合突起
１ｐ    ロック穴
１ｔ    基部
１ｕ    係合部
１ｖ    基部の突出方向
１ｗ    傾斜面
１ｘ    リブ
２      カバー部材
２ａ    通気孔
２ｂ    通気孔
２ｃ    ロック金具用穴
２ｄ    係合突起
２ｆ    カバー部材側係合突起
２ｇ    スリット
２ｈ    基部
２ｊ    係合片
２ｋ    傾斜面
２ｍ    弾性部
２ｎ    上面
２ｐ    側面
２ｑ    下面
２ｒ    上面の縁端部
２ｓ    下面の縁端部
２ｔ    押圧部
３      ロック金具
３ａ    操作部
３ｂ    ナット部
３ｃ    トーションスプリング
３ｄ    ラッチ部
３ｅ    鉤状部
３ｆ    鉤状部の基部
２０    電気電子機器
３１    取付ベルト
３２    ストッパ
３２ａ  受部
３２ｂ  引掛部
３３    取付金具
３３ａ  取付穴
３４    取付金具
３４ａ  取付穴
３５    取付ネジ
３５ａ  取付穴
３６    脚付きアダプター
３７    基板
３８    フランジ付ネジ
３８ａ  フランジ部
４１    電気電子機器
４２    電気電子機器
４３    電気電子機器
４４    電気電子機器
５０    力点（従来）
５１    作用点（従来）
５２    支点（従来）
５５    力点（本発明）
５６    作用点（本発明）
５７    支点（本発明）
【図１】
0005004741.tif 000002
【図２】
0005004741.tif 000003
【図３】
0005004741.tif 000004
【図４】
0005004741.tif 000005
【図５】
0005004741.tif 000006
【図６】
0005004741.tif 000007
【図７】
0005004741.tif 000008
【図８】
0005004741.tif 000009
【図９】
0005004741.tif 000010
【図１０】
0005004741.tif 000011
【図１１】
0005004741.tif 000012
【図１２】
0005004741.tif 000013
【図１３】
0005004741.tif 000014
【図１４】
0005004741.tif 000015
【図１５】
0005004741.tif 000016